(57)【要約】      （修正有）【課題】音量や音質の点で使用者の需要を満たし、立体音響を楽しむことが可能で、充電機能をも有する携帯型電子機器用スタンドを提供する。【解決手段】サブウーハー３を内蔵する筐体２と、筐体に立設されるポール４と、ポールと接続されるフレキシブルアーム５と、フレキシブルアーム先端に取付けられ、その両端にスピーカーシステム７を着脱可能な支持体６と、フレキシブルアーム先端に取り付けられる載置部８であって、携帯型電子機器を載置部上で動かないように固定する固定手段９を有する載置部とにより構成される。また、携帯型電子機器の充電コネクターに着脱される電源側コネクター１１を載置部に備える。【選択図】図１
0003188179.tif 000002
【実用新案登録請求の範囲】
【請求項１】
サブウーハー（３）を内蔵する筐体（２）と、当該筐体（２）に立設されるポール（４）と、当該ポール（４）と接続されるフレキシブルアーム（５）と、フレキシブルアーム（５）先端に取付けられ、その両端にスピーカーシステム（７）を着脱可能な支持体（６）と、フレキシブルアーム（５）先端に取り付けられる載置部（８）であって、携帯型電子機器を当該載置部（８）上で動かないように固定する固定手段（９）を有する載置部（８）と、
により成る携帯型電子機器用スタンド。
【請求項２】
載置部（８）に、携帯型電子機器の充電コネクターに着脱される電源側コネクター（１１）を設けた請求項１に記載の携帯型電子機器用スタンド。
【考案の詳細な説明】
【技術分野】
【０００１】
本考案は、携帯型電子機器用スタンドに関し、より詳しくは音響効果に優れた携帯型電子機器用スタンドに関する。
【背景技術】
【０００２】
スマートフォン等の音楽再生機能付きの携帯電話機は、通常の携帯電話としての利用以外に所望の音楽を再生して音楽を楽しめるような利用が可能である。ところが装備されたスピーカーが、大きさ等の制約を受けるため、音量や音質の点で物足りないという難点がある。
【０００３】
そこで、通常のオーディオ機器と異ならないスピーカーを備えたボックスに、スマートフォンを差し込むことで、スマートファンにダウンロードされた音楽を当該スピーカーを通じて再生可能な携帯型電子機器用スタンドが特許文献１に開示されている。
【０００４】
また、タブレット型のコンピュータやタブレット型メディア端末（例えば、Ａｐｐｌｅ（登録商標）のｉＰａｄ（登録商標））といった携帯型電子機器は、音楽のみならず動画も再生可能であることから、例えばベッドの上で寝転んだ状態で楽しむためのアームスタンドタイプのスタンドが市販されている。
【先行技術文献】
【特許文献】
【０００５】
【特許文献１】特開２００２−１７１３２７号公報
【考案の概要】
【考案が解決しようとする課題】
【０００６】
上記アームスタンドタイプの携帯型電子機器用スタンドは、屈曲自在であり、且つ、回転自在なアーム部に電子機器を支持するためのホルダーが装備されたものであり、任意の位置・方向に携帯型電子機器をセットすることが可能である。それ故、ベッド上に仰向けに寝転んだ状態等で、携帯型電子機器を通じて音楽や動画を楽しむことが可能となるものである。
【０００７】
ところが、前記アームスタンドタイプの携帯型電子機器用スタンドは、スピーカーその他の音響装置は、携帯型電子機器に備わったものを使用することから、音量や音質の点で物足りないものになりがちであると共に、立体音響を楽しめないという難点もある。
【０００８】
従来型のアームスタンドタイプの携帯型電子機器用スタンドを用いて立体音響を楽しむためには、独立した音響機器と携帯型電子機器をケーブルで繋ぐ必要あり、面倒である。
【０００９】
また、従来のスタンドは単に携帯型電子機器を支持するだけのものであり、充電機能を有しない。
【００１０】
そこで本考案は、音量や音質の点で使用者の需要を満たすことが可能であり、しかも立体音響を楽しむことが可能であるとともに、充電機能をも有する携帯型電子機器用スタンドを提供することを目的とする。
【課題を解決するための手段】
【００１１】
上記の目的を達成する本考案の構成は次の通りである。
【００１２】
（１）  請求項１に記載の考案は、サブウーハーを内蔵する筐体と、当該筐体に立設されるポールと、当該ポールと接続されるフレキシブルアームと、フレキシブルアーム先端に取付けられ、その両端にスピーカーシステムを着脱可能な支持体と、フレキシブルアーム先端に取り付けられる載置部であって、携帯型電子機器を当該載置部上で動かないように固定する固定手段を有する載置部とにより構成される。
【００１３】
（２）  請求項２に記載の考案は、請求項１記載の携帯型電子機器用スタンドにおいて、携帯型電子機器の充電コネクターに着脱される電源側コネクターを載置部に備えて構成した。
【考案の効果】
【００１４】
上記のように構成される本考案が、如何に作用して課題を解決するかを図面を参照しながら概説する。
【００１５】
図２及び図３は本考案の使用状態を示すものである。携帯型電子機器用スタンド１は、筐体２を床面に置くことで装置全体を支持するものである。携帯型電子機器１０は載置部８にセットされ、固定手段９により対角線上の両角部１０ａを挟持される形状で固定されるものである。載置部８はフレキシブルアーム５により任意位置に持ってくることが可能であり、つまりは載置固定された携帯型電子機器１０を任意位置に設定可能であり、ベッドサイドやソファー横等に筐体２を置き、ベッドやソファーでくつろぎながら、閲覧可能な位置に携帯型電子機器１０を設置することが可能となるのである。
【００１６】
しかも、フレキシブルアーム５先端には、その両端にスピーカーシステム７，７を装備する支持体６が取付けられており、携帯型電子機器１０に装備される音響機器のようなサイズ的制約を受けないスピーカーシステム７を装備することが可能となる。つまりは音量や音質の点で優れたスピーカーシステムの装備が可能となるのである。
【００１７】
また、筐体２内にはサブウーハー３が内蔵されており、低音域が補完され、立体音響を楽しむことが可能となるのである。
【００１８】
請求項２記載の考案においては、携帯型電子機器１０の充電コネクターに着脱される電源側コネクター１１を載置部８に備えていることから、映像や音楽・ゲームなどを楽しみなが、同時に携帯型電子機器１０の充電も可能となるのである。
【図面の簡単な説明】
【００１９】
【図１】本考案の正面図
【図２】使用状態を示す正面図
【図３】使用状態を示す背面図
【考案を実施するための形態】
【００２０】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２１】
図１に示されるように、本考案に係る携帯型電子機器用スタンド１は筐体２、ポール４、フレキシブルアーム５、支持体６、スピーカーシステム７及び載置部８を主な構成要素としている。
【００２２】
筐体２は携帯型電子機器用スタンド１全体を支持するために十分な重量を有するものである。この筐体２内にはサブウーハー３及びアンプが内蔵されている。
【００２３】
筐体２には電源ケーブル１５が設けらており、外部電源に接続され、アダプター、ケーブルを介してサブウーハー３、スピーカーシステム７、コネクター１１等に給電されるものである。
【００２４】
ポール４は中空の棒体であり、内部にフレキシブルアーム５を、摺動自在に内蔵可能なものである。フレキシブルアーム５を任意位置においてナット１３で固定することで、高さ方向に伸縮自在となしてある。
【００２５】
フレキシブルアーム５は汎用のものを利用可能である。すなわち金属材にて構成され、板状の金属材をフレキシブルアームの長手方向に向かって螺旋状に巻くことで、可撓性を有するように設けたもの等である。
【００２６】
支持体６は棒体であり、図３に示すように、フレキシブルアーム５の先端に回動可能に取付けられたフック金具１４の孔部１４aに挿入される形態で設けられている。
【００２７】
支持体６の両端にはスピーカーシステム７，７が一対設けられている。該スピーカーシステム７，７は支持体６に固定してもよいし、着脱自在に係止される形態で設けてもよい。
【００２８】
スピーカーシステム７はアンプを内蔵したアクティブスピーカーであり、携帯型電子機器１のヘッドフォン 端子またはライン端子に直接接続して用いられる。或るいは携帯機器機器１０に内蔵されている無線通信機能によって音声データをスピーカーシステム７に伝達してもよい。
【００２９】
載置部８は方形の板状体であり、図３に示すように、フレキシブルアーム５の先端に回動可能に取付けられたフック金具１４の先端に固定される形態で設けられている。載置部８には固定手段９が設けられている。固定手段９は携帯型電子機器１０を支持固定することが可能であれば任意の手段を採用できる。例えば図１や図２に示すように円柱状であり弾性を有する一対の柱材で固定手段９を構成し、携帯型電子機器１０の角部を挟持することで固定しても良い。また、載置部８に溝部８aを設け、当該溝部８aに沿って固定手段９をスライド可能に設けることで、携帯型電子機器１０のサイズにかかわらず固定可能に設けてもよい。あるいは載置部８にクリップを設け固定手段９となしてもよい。
【００３０】
また、載置部８には図１や図３に示すように電源側コネクター１１が設けられている。
【００３１】
支持体６及び載置部８は、フレキシブルアーム５に対して回動可能に設けらたフック金具１４に取り付けられていることから、支持体６及び載置部８自体が回動可能になり、固定された携帯型電子機器１０やスピーカーシステム７の位置調整が可能となるものである。
【符号の説明】
【００３２】
１・・携帯型電子機器用スタンド      ２・・筐体      ３・・サブウーハー
４・・ポール        ５・・フレキシブルアーム      ６・・支持体
７・・スピーカーシステム      ８・・載置部        ９・・固定手段
１０・・携帯型電子機器      １１・・コネクター    １３・・ナット
１４・・フック金具      １５・・電源ケーブル
【図１】
0003188179.tif 000003
【図２】
0003188179.tif 000004
【図３】
0003188179.tif 000005